(57)【要約】【課題】　両面通信機能による通信時にエラーが発生して回線が切断された場合、再通信時の通信時間の短縮及びコストの低減が可能な通信端末装置を提供する。【解決手段】　送信側装置１は、通信時に通信番号を送り、受信側装置２は送信側装置１の電話番号と通信番号を対にして記憶する。また受信側装置２は、受信した画像を情報格納部２２に格納し、両面が揃ったら記録部２４で両面記録する。通信エラー時、情報格納部２２内の受信済画像はそのまま保持する。再送信時、送信側装置１はエラー前と同じ通信番号を送り、受信側装置２では電話番号と通信番号から通信を特定して、その通信で受信した画像が情報格納部２２に残っているか否かを応答する。送信側装置１は、応答に応じて送信開始ページを決定し、両面が完結していないページのみを送信する。【選択図】　図１
2004096798.tif 000002
【特許請求の範囲】
【請求項１】
　両面送信可能な通信端末装置において、相手先との通信を行う通信手段と、該通信手段を用いて画像を両面送信する制御手段を有し、該制御手段は、両面送信の際に通信を特定する情報を送信するとともに、エラーの発生により再送する場合に、前記通信を特定する情報を指定してエラーとなった時のページから再送信することを特徴とする通信端末装置。
【請求項２】
　前記制御手段は、エラーとなった時のページからの再送信に対する相手先からの応答に応じて送信開始ページを決定することを特徴とする請求項１に記載の通信端末装置。
【請求項３】
　両面受信可能な通信端末装置において、相手先との通信を行う通信手段と、両面記録が可能な記録手段と、該通信手段を用いて画像を両面受信する制御手段と、受信した画像を格納可能な格納手段を有し、前記制御手段は、両面受信時に該通信を特定する情報を受信して保持し、送られてきた画像を前記格納手段に格納するとともに両面がそろった画像を前記記録手段に記録させて削除し、通信エラーによって回線が切断された後も前記格納手段に格納した画像を前記通信を特定する情報と対応づけて維持して再通信の際に送られてくる通信を特定する情報によりいずれの通信の続きかを特定することを特徴とする通信端末装置。
【請求項４】
　前記制御手段は、通信エラーによって回線が切断された後、前記格納手段の空き容量が所定値以下となった時点で該通信で受信した画像を前記格納手段から削除することを特徴とする請求項３に記載の通信端末装置。
【請求項５】
　前記制御手段は、再通信の際に前記通信を特定する情報に対応する画像が前記格納手段に存在しない場合には、否定応答を行うことを特徴とする請求項３または請求項４に記載の通信端末装置。
【発明の詳細な説明】
【技術分野】
【０００１】
　本発明は、両面通信機能を有する通信端末装置に関するものである。
【背景技術】
【０００２】
　近年、両面通信機能を有する通信端末装置が開発されている。両面通信機能では、受信側の能力に応じて交互モードあるいは連続モードでの両面送信が可能である。交互モードは、表面の画像と裏面の画像を交互に送信するモードである。また連続モードは、表面の画像を連続して送信した後に、裏面の画像を連続して送信するモードである。
【０００３】
　一般に、通信の途中でエラーが発生し、通信回線が切断されてしまう場合がある。このような場合、片面の通信であれば、送信が完了したページまでは受信側で記録が行われていると考えられるので、エラーが発生したページから再送を行えばよい。しかし、両面通信機能を利用して送信する場合、１枚の用紙の表裏に記録される画像が受信側に送られないと、用紙１枚分の通信が行われたことにならない。そのため、両面通信機能で通信を行った場合、例えば用紙の片面に記録する画像しか送ることができなかったときには、その片面の画像については正常に通信が完了していても、反対面の画像がないために受信側で記録されていないことが考えられる。特に連続モードで通信を行っている場合、表面の画像を送信し終えないと裏面の画像が送信されないため、例えば表面の画像を送信している間にエラーが発生して回線が切断された場合、受信側では１枚も両面記録が完成しないことになる。もちろん、片面だけ記録した用紙を保持しておき、再送信を待つことも考えられるが、再送信される保証はなく、逆に次の受信に備えて記録装置を空けておくことが望まれるため、片面のみを記録した用紙を装置内に蓄積しておくことは好ましくない。そのため、全ページの画像をメモリなどに格納しておくことも行われるが、通信エラーの場合にはそれまで受信した画像がすべて消去されてしまうことも多い。
【０００４】
　このようなことから、両面通信機能で通信を行っていたときにエラーが発生した場合には、従来は全ページの画像を送信し直して、受信側において確実に両面記録されるようにしていた。しかし、最初から送信し直すため、重複して送信されるページも多く、通信時間が長くなってコストがかかるという問題があった。また、例えば受信側で両面の画像がそろって両面記録を行った場合でも、改めて画像が送信されてくるため、先に行った記録が無駄になっていた。
【発明の開示】
【発明が解決しようとする課題】
【０００５】
　本発明は、上述した事情に鑑みてなされたもので、両面通信機能による通信時にエラーが発生して回線が切断された場合、再通信時の通信時間を短縮してコストを低減することができる通信端末装置を提供することを目的とするものである。
【課題を解決するための手段】
【０００６】
　本発明は、両面送信可能な通信端末装置において、相手先との通信を行う通信手段と、該通信手段を用いて画像を両面送信する制御手段を有し、該制御手段は、両面送信の際に通信を特定する情報を送信するとともに、エラーの発生により再送する場合に、前記通信を特定する情報を指定してエラーとなった時のページから再送信することを特徴とするものである。相手先で両面が完結した画像については記録出力しておけば、これらの画像については送信する必要がないので、両面が完結していない画像を再送信することによって通信時間を低減し、通信コストを抑えることができる。
【０００７】
　このとき、相手先では複数の通信についてエラーとなっている可能性があり、両面が完結していない画像を再送信したときにいずれの通信に対するものかが分からない可能性がある。これを解決するため、制御手段は、両面送信の際に通信を特定する情報を送信するとともに、再送信の際には通信を特定する情報を指定して画像を再送信するように構成することができる。相手先では、通信を特定する情報によって、いずれの通信の再送信かを判断して通信を完了させることができる。なお、通信を特定する情報を指定して再送信する際には、通信を特定する情報を送信するとともに、送信開始ページの情報なども含めて送信する。
【０００８】
　また、再送信の際には、相手先において先の通信で送った画像がどのようになっているかを、エラーとなった時のページからの再送信に対する相手先からの応答により推測し、相手先からの応答に応じて送信開始ページを決定するように構成することができる。
【０００９】
　また本発明は、両面受信可能な通信端末装置において、相手先との通信を行う通信手段と、両面記録が可能な記録手段と、該通信手段を用いて画像を両面受信する制御手段と、受信した画像を格納可能な格納手段を有し、前記制御手段は、両面受信時に該通信を特定する情報を受信して保持し、送られてきた画像を前記格納手段に格納するとともに両面がそろった画像を前記記録手段に記録させて削除し、通信エラーによって回線が切断された後も前記格納手段に格納した画像を前記通信を特定する情報と対応づけて維持して再通信の際に送られてくる通信を特定する情報によりいずれの通信の続きかを特定することを特徴とするものである。このように、両面が揃った画像から記録してゆくことによって、通信エラーによって回線が切断され、再送信を受ける場合にも、送信元の相手先では、両面が送信済の画像については再送信する必要がなく、両面が完結していない画像を再送信することによって通信時間を低減し、通信コストを抑えることができる。また、通信を特定する情報によって画像を管理しているので、再送信の際にも、いずれの通信の続きかを容易に判断することができる。
【００１０】
　なお、このように通信エラー時には片面しか受け取っていない画像については格納手段に蓄積されてゆく。そのため、再送信が受けられないとそのまま格納手段中に残り、メモリ容量を減少させてしまう。これを防ぐため、制御手段は、例えば通信エラーによって回線が切断された後、所定期間経過後に該通信で受信した画像を格納手段から削除したり、格納手段の空き容量が所定値以下となった時点で該通信で受信した画像を格納手段から削除するように構成することができる。また、このように送信済の画像が受信側において削除されているか否かを送信側に知らせるため、制御手段は、再通信の際に通信を特定する情報に対応する画像が格納手段に存在しない場合には、否定応答を行うように制御することができる。送信側の相手先では、この否定応答の有無によって送信開始ページを決定することが可能である。また、送信側の相手先から送信開始ページの情報が送られてきている場合には、その送信開始ページでよいか否かを含めて応答することができる。もちろん、否定応答のほか、受信すべきページを送信側に知らせるなどの制御を行ってもよい。
【発明の効果】
【００１１】
　本発明によれば、本発明によれば、通信エラーなどによって再送信する際に、通信を特定する情報によってどの通信の再送信かを特定した上で、表裏の画像が完結していない画像のみを送信するので、通信時間を短縮し、通信コストを低減させることができるという効果がある。また、受信側でも通信エラーが発生したときでもそれまでに受信した画像を保持しておき、通信を特定する情報に従って、受信済の画像が保持されているか否かを応答するので、送信側では受信側の状態に応じて送信ページを決定でき、正しく送信することができる。
【発明を実施するための最良の形態】
【００１２】
　図１は、本発明の通信端末装置の実施の一形態を含むシステムの一例を示す構成図である。図中、１は送信側装置、２は受信側装置、３は回線、１１，２１は主制御部、１２，２２は情報格納部、１３，２３は通信部、１４は読取部、２４は記録部である。送信側装置１は、少なくとも両面送信機能を有しており、回線３を介して受信側装置２へ画像を両面送信することができる。また受信側装置２は、少なくとも両面受信機能を有しており、回線３を介して送信側装置１から画像を両面受信することができる。両面通信時には、送信側装置１は通信を特定する情報、例えば通信番号を送出する。受信側装置２では、送信側装置１から送られてくる送信側装置１の電話番号等の相手先を特定する情報と、同じく送信側装置１から送られてくる通信を特定する情報とを受け取って登録し、通信エラー時に備えておく。通信エラーにより回線３が切断された場合、送信側装置１は通信を特定する情報を送信し、これを受けた受信側装置２では中断された通信を特定する。そして、中断前に受信した画像が残っているか否かを送信側装置１に対して応答する。送信側装置１は、この受信側装置２からの応答に応じて再送する画像のページを決定する。そして、両面が完結していない画像を受信側装置２に対して送信する。
【００１３】
　このような機能を実現するため、送信側装置１は、少なくとも主制御部１１，情報格納部１２，通信部１３を有し、この例ではさらに読取部１４を有している。もちろん、その他にも記録部や操作部、各種インタフェースなど、種々の構成を有していてよい。主制御部１１は、送信側装置１全体の動作を制御する。ここでは少なくとも両面送信機能を実現するための制御を行う。例えば読取部１４や外部から、送信すべき画像を取得して情報格納部１２に格納した後、通信部１３から受信側装置２に対して発呼し、回線３が接続されたら両面送信のための通信手順に従って通信を行う。この手順中で通常は送信側装置１の電話番号を送信するが、そのほかに、当該通信を特定する情報を送信する。また、受信側装置２から両面通信に関する能力を受け取って連続モードあるいは交互モードの選択を行う。そして、選択したモードに従って情報格納部１２に格納されている画像を順次送信する。
【００１４】
　さらに主制御部１１は、通信エラーが生じて回線３が切断されたときには、設定に応じて自動的に再送信を行うことができる。再送信の際には、エラー発生前の通信で受信側装置２に送った通信を特定する情報を送信する。このとき、再送信を開始するページの情報も送信してもよい。これに対して受信側装置２は応答を返してくるので、その応答に従い送信開始ページを決定する。例えば連続モードで表面送信中にエラーが発生した場合には、受信側装置２から肯定応答が返された時にはエラーが発生したページの画像から送信を開始する。また否定応答が返されたときには最初のページから送信をやり直す。連続モードで裏面送信中にエラーが発生した場合には、受信側装置２から肯定応答が返された時にはエラーが発生したページの画像から送信を開始する。また否定応答が返されたときには対応する表面のページから表面の画像の送信をやり直し、その後に対応する裏面の画像を送信する。なお受信側装置２から再送ページが指定される場合には、その再送ページに従って送信すればよい。あるいは、再送の際には常に最初のページから再送するモードも設けておき、設定によって切替可能に構成されていてもよい。
【００１５】
　情報格納部１２は、半導体メモリやディスク装置などの記憶装置で構成され、送信すべき画像を保持する。もちろん、即時送信などにより読取部１４で読み取った画像を逐次送信する場合には、この情報格納部１２に画像が格納されない場合もある。情報格納部１２は、画像のほかにも送信側装置１における各種の情報を格納しておくことが可能である。
【００１６】
　通信部１３は、回線３を介して受信側装置２などの相手先との通信を行う。特に自動ダイヤル機能を有しており、再送信時には主制御部１１からの指示に従って受信側装置２に対して発呼することができる。
【００１７】
　読取部１４は、送信する画像を読み取ることができる。両面送信する場合であっても、原稿は片面でもよく、この読取部１４についても両面読取機構を有していても、また有していなくてもよい。さらに、送信すべき画像が例えば外部から与えられる構成などでは、この読取部１４を設けずに構成することも可能である。
【００１８】
　受信側装置２は、少なくとも主制御部２１，情報格納部２２，通信部２３、記録部２４を有している。もちろん、その他にも読取部や操作部、各種インタフェースなど、種々の構成を有していてよい。主制御部２１は、受信側装置２全体の動作を制御する。ここでは少なくとも両面受信機能を実現するための制御を行う。例えば回線３を介して通信部２３で着呼を検出すると回線３を接続し、通信手順を開始する。この手順の中で、受信側装置２の両面受信能力を送信側装置１に伝え、送信側装置１から通信モードや送信側装置１の電話番号、この通信を特定する情報などを受け取る。このとき、電話番号と通信を特定する情報の組がそれまでに送られてきているか否かを判定し、それまでに送られてきていなければ新たな通信と判断し、肯定応答を行った後、画像を両面受信する。両面受信した画像は、情報格納部２２に一旦格納する。そして表面と裏面の画像を受け取って表裏が完結したら、それらの画像を記録部２４に両面記録させ、記録した画像を情報格納部２２から削除する。
【００１９】
　また主制御部２１は、通信エラーが生じて回線３が切断されたときには、それまで受信して未記録の画像をそのまま情報格納部２２に格納させておくとともに、電話番号と通信を特定する情報の組についても保持しておく。情報格納部２２に保持している受信画像は、例えば所定の期間が過ぎたり、情報格納部２２の空き容量が所定の容量以下となった場合には削除してもよい。
【００２０】
　さらに主制御部２１は、送信側装置１から着呼して受け取った電話番号及び通信を特定する情報が、それまでに送られてきて保持しているものであった場合には、その通信は通信エラー後の再通信であるものと判断する。そして、エラー発生前に送られてきた画像のうち記録済を除く画像が情報格納部２２に格納されているか否かを、送信側装置１に対する応答として返す。あるいは、再送を受けるページを送信側装置１に返してもよい。このような応答によって送信側装置１が再送するページを決定するので、以後は送信側装置１から送られてくる画像を受信して行けばよい。
【００２１】
　情報格納部２２は、半導体メモリやディスク装置などの記憶装置で構成され、受信した画像を一時保持するほか、受信時の手順の中で受け取った電話番号と通信を特定する情報の組を保持する。もちろん、受信した画像をそのまま記録する場合には、この情報格納部２２に画像が格納されない場合もある。情報格納部２２は、受信した画像や、電話番号と通信を特定する情報の組のほか、受信側装置２における各種の情報を格納しておくことが可能である。
【００２２】
　通信部２３は、回線３を介して送信側装置１などの相手先との通信を行う。
【００２３】
　なお、上述の送信側装置１及び受信側装置２の構成は一例であって、例えば送信側装置１と受信側装置２はともに両面送信機能及び両面受信機能を有する装置であってよい。
【００２４】
　次に、本発明の通信端末装置の実施の一形態における動作について、送信側装置１と受信側装置２とに分けて説明する。図２は、送信側装置における送信動作の一例を示すフローチャートである。まずＳ３１において、読取部１４で送信すべき原稿上の画像を読み取り、読み取った画像をＳ３２において情報格納部１２に格納する。原稿が両面であれば表裏とも読み取る。もちろん片面原稿でもよい。
【００２５】
　１ページ以上の画像を読み取ったら、あるいは読取が終了したら、Ｓ３３において、通信部１３は指定された電話番号に対して発呼する。受信側装置２と回線が接続されると受信側装置２からＤＩＳが送られてくるので、これを受信する。ＤＩＳ中には受信側装置２の能力に関する情報が含まれており、両面受信能力についての情報も含まれている。ここでは受信側装置２は連続モードによる両面受信機能を有しているものとし、連続モードによる両面送信を行うとする。
【００２６】
　ＤＩＳを受信したら、Ｓ３５において、独自モードの機能設定信号であるＮＳＳによって、この通信を特定する情報、ここでは通信番号を送信する。なお、この通信番号が他の標準の信号（例えばＤＣＳやＳＵＢなど）において送信可能であれば、その標準の信号の送出時に送ってもよい。それとともにＴＳＩにより、送信側装置１の電話番号を送る。受信側装置２では、これらの通信番号及び電話番号によって、この通信を特定することが可能になる。さらにＳ３６において、ＤＣＳにより通信時の機能設定を行う。このＤＣＳの中で、両面通信時のモード設定も行う。ここでは連続モードに設定する。
【００２７】
　これらの信号を送出すると、受信側装置２はＣＦＲを返してくるので、Ｓ３７においてこれを受信し、画像の送信が可能になる。Ｓ３８において送信ページを示す変数Ｐを１に初期化し、Ｓ３９において、情報格納部１２に格納されている送信ページの画像を読み出し、通信部１３から送信する。これをここではＰＩＸとして示しており、第１パラメータＰはページを示し、第２パラメータは表か裏かを示している。画像の送信が終了したら、Ｓ４０において、ＭＰＳを送信する。両面送信時には、ＭＰＳに送信したページ番号と表か裏かを示す情報を付加する。
【００２８】
　ＭＰＳまで送信したら、正常に受信側装置２が画像を受信していればＭＣＦが返される。Ｓ４１においてＭＣＦを受信したか否かを判定する。ＭＣＦを受信していれば画像は正常に送信できている。その場合にはＳ４２において表面の画像が終了したか否かを判定し、まだ表面の画像が残っていればＳ４３においてページを示す変数Ｐに２を加えてＳ３９へ戻り、次の表面の画像の送信を行う。これを繰り返し、表面の画像をすべて送信し終えたら、Ｓ４４以降の裏面の画像の送信処理に移る。
【００２９】
　裏面の画像を送信する際には、まずＳ４４において、送信ページを示す変数Ｐを２に初期化し、Ｓ４５においてＰページの画像が情報格納部１２に格納されていることを確認後、Ｓ４６においてＰページの画像（ＰＩＸ）を受信側装置２に送信する。さらにＳ４７において、ＭＰＳを送信する。このとき、送信ページ番号Ｐとともに、裏面であることを明示する。
【００３０】
　正常に受信側装置２が画像を受信していればＭＣＦが返されるので、Ｓ４８において、ＭＣＦを受信したか否かを判断する。ＭＣＦを受信していれば正常に画像を送信することができたことを示す。これによって、送信した裏面の画像と、その裏面の画像に対応する表面の画像についても送信が完了したことになる。従って受信側装置２では両面の画像を記録可能であり、再び送る必要がない画像であるので、Ｓ４９において表裏の画像を情報格納部１２から削除する。
【００３１】
　Ｓ５０において裏面の画像をすべて送信し終えたか否かを判定し、未送信の裏面の画像が残っている場合には、Ｓ５１において送信ページを示す変数Ｐに２を加えてＳ４５へ戻り、次の裏面の画像の送信を行う。このような裏面画像の送信を繰り返し、すべての裏面画像の送信を終えたら、Ｓ５２において送信し終えた画像を情報格納部１２からすべて削除し、送信処理を終える。
【００３２】
　Ｓ４１またはＳ４８でＭＣＦが受信側装置２から受け取れない場合には、タイムアウトなどによってこの通信はエラー終了となる。この場合、一旦回線３を切断後、次の再送処理を行う。
【００３３】
　図３は、送信側装置における再送動作の一例を示すフローチャートである。上述のように通信エラーとなり回線が切断された後、図３に示す再送処理が行われる。回線切断後、Ｓ６１において所定時間（例えば１分以上）ウェイトした後、Ｓ６２において受信側装置２を再び発呼する。回線が接続されると受信側装置２からＤＩＳが送られてくるのでこれをＳ６３で受信する。
【００３４】
　Ｓ６４において、再送時の動作の設定を参照し、全ページを再送する設定か、あるいは必要なページのみを送信する設定かを判断する。全ページを再送する設定の場合には、Ｓ６５において、両面を送信した画像を除き、片面のみを送信完了したページを含め、情報格納部１２に格納されている画像をすべて送信する。
【００３５】
　必要なページのみを送信する設定の場合には、まずＳ６６において、再送開始ページを示す変数ＲｅｔｘＰを変数Ｐの値に設定する。すなわち、通信エラーとなったときのページから再送するように設定する。そして図２のＳ３５，Ｓ３６と同様に、Ｓ６７においてＮＳＳ、ＴＳＩ、ＤＣＳを送信する。この時のＮＳＳには、エラー発生前に送出した通信番号を含め、さらにこの例では再送開始ページＲｅｔｘＰを含めて送信する。
【００３６】
　これらの信号を送出後、受信側装置２から返される信号をＳ６８で調べる。受信側装置２は、後述のように再送信時に通信エラー前の画像が残っていればＣＦＲを、残っていなければＦＮＶを返すので、Ｓ６８ではこれを判定する。受信側装置２からＣＦＲが返された場合には、続きのページの画像を送信すればよい。Ｓ６９において再送開始ページＲｅｔｘＰを送信ページＰとした後、Ｓ７０において送信開始ページＲｅｔｘＰ（あるいは送信ページＰ）が奇数か偶数かを判断し、奇数であれば表面の画像の送信を続行すべく図２のＳ３９へ戻る。また、送信開始ページＲｅｔｘＰが偶数であれば、裏面の画像の送信を続行すべく、図２のＳ４５へ戻る。これによって、通信エラー前に送信した画像は送信しなくてよく、通信時間を短縮して通信コストを低減することができる。
【００３７】
　通信エラー前に送信した画像が受信側装置２に残っておらず、ＦＮＶが返された場合には、片面しか送信していないページについては、送信が完了していても再送する必要がある。Ｓ７１において送信ページＰが奇数か偶数かを判定する。送信ページＰが奇数の場合、通信エラー発生時に表面の画像を送信中であったことを示す。連続モードでは表面送信中には裏面の画像は送っていないため、表裏が完結した画像はなく、表面の画像のみが送信済になっていると考えられる。しかし受信側装置２には、送信済の画像が残っていないことから、すべての画像について送信し直す必要がある。そのためＳ７２において、送信開始ページＲｅｔｘＰを１にセットし、Ｓ６７に戻って再びＮＳＳ、ＴＳＩ、ＤＣＳを送信する。２回目のこれらの信号の送信に対しては受信側装置２はＣＦＲを返してくるので、Ｓ６９において送信ページＰを送信開始ページＲｅｔｘＰ（＝１）に設定し、Ｓ７０からＳ３９に戻って１ページ目から送信し直すことになる。
【００３８】
　Ｓ７１で送信ページＰが偶数であると判定された場合には、通信エラー発生時に裏面の画像を送信中であったことを示す。連続モードでは表面の画像をすべて送信した後に裏面の画像を送信するため、表面の画像は送信済である。しかし、受信側装置２からＦＮＶにより送信済の画像が残っていないことが通知されているので、これから送信しようとしている裏面の画像に対応する表面の画像についても送信する必要がある。送信開始ページＲｅｔｘＰ（裏面）に対応する表面の画像は（ＲｅｔｘＰ−１）ページであるから、Ｓ７３において、送信開始ページＲｅｔｘＰを（ＲｅｔｘＰ−１）とし、Ｓ６７に戻って再びＮＳＳ、ＴＳＩ、ＤＣＳを送信する。２回目のこれらの信号の送信に対しては受信側装置２はＣＦＲを返してくるので、Ｓ６９において送信ページＰを送信開始ページＲｅｔｘＰ（＝Ｐ−１）に設定する。送信開始ページＲｅｔｘＰは奇数であるので、Ｓ７０からＳ３９に戻って、通信エラーとなった裏面ページに対応する表面ページから表面の画像を連続して送信し直すことになる。
【００３９】
　なお、裏面ページで通信エラーとなった場合、既に送信済の裏面ページの画像については表裏が完結しているため情報格納部１２から削除されている。従って、表面の画像の送信終了後、裏面の画像を送信する際には、削除されているページはＳ４５からＳ５１に進むことによってスキップされ、通信エラーとなったページから送信されることになる。
【００４０】
　このように、両面が完結していない送信済の画像が受信側装置２において削除されている場合でも、正しく再送信することができる。またこの場合でも、両面とも送信済である画像については送信しないので、通信時間を短縮し、通信コストを低減することができる。
【００４１】
　図４は、受信側装置における受信動作の一例を示すフローチャートである。受信側装置２は、回線３から通信部２３に着呼すると、通信手順を開始する。まずＳ８１においてＤＩＳを送信側装置１に対して送信し、受信側装置２の受信能力を通知する。この中で両面受信能力についても通知する。ここでは連続モードによる両面受信が可能であるものとする。また初期設定として、Ｓ８２において再送を受ける時のためのフラグをＯＦＦにしておく。
【００４２】
　Ｓ８３において、送信側装置１から送られてくるＮＳＳ、ＴＳＩ、ＤＣＳを受信する。ＮＳＳから、この通信を特定する通信番号を受け取る。またＴＳＩには送信側装置１の電話番号が含まれている。さらにＤＣＳには、通信時の機能設定の情報が含まれており、両面通信を連続モードで行うか交互モードで行うかの設定情報も含まれている。
【００４３】
　Ｓ８４において、ＤＣＳに含まれている両面通信時のモードを判定し、交互モードであればＳ８５において交互モードによる受信処理を行い、記録部２４で両面記録して受信処理を終了する。
【００４４】
　連続モードの場合には、さらにＳ８６において、ＴＳＩにより送られてきた送信側装置１の電話番号とＮＳＳで送られてきた通信番号との対が記憶されているか否かを判定する。電話番号と通信番号の対が記憶されていなければ新規の通信であるので、Ｓ８７において、受け取った電話番号と通信番号を対応付けて、例えば情報格納部２２などに記憶しておく。そしてＳ９０においてＣＦＲを送出し、Ｓ９１において、送信側装置１から送られてくる画像を受信して情報格納部２２に格納する。このとき、Ｓ９２において受信時刻を更新しておく。この受信時刻は、後述するように通信エラーで情報格納部２２に格納されたままとなっている画像を削除する際の判定に用いる。
【００４５】
　画像受信後、送信側装置１から送られてくる信号を判定し、ＭＰＳであれば次のページの画像が続けて送信されるので、Ｓ９４においてＭＣＦを送出した後、Ｓ９１へ戻って次のページの画像を受信する。また、ＥＯＰが送られてきた場合には、後続のページの画像がないことを示すので、Ｓ９５において両面が揃っている表裏の画像を記録部２４で両面記録する。そしてＳ９６において、Ｓ９５で記録した画像を情報格納部２２から削除して受信処理を終了する。
【００４６】
　画像受信後、送信側装置１から何も送られて来ない場合には、Ｓ９７において通信エラーとして通信を中断する。この場合も、Ｓ９５において両面が揃っている表裏の画像を記録部２４で両面記録する。そしてＳ９６において、Ｓ９５で記録した画像を情報格納部２２から削除して受信処理を終了する。しかし、通信エラーとなった場合には、両面の画像が揃っていない場合が発生する。この場合には、両面が揃っていない画像については情報格納部２２から削除せず、そのまま格納しておく。また、それらの画像とともに、Ｓ８３で受信したＮＳＳ、ＴＳＩ中の通信番号および電話番号を対にしてそのまま情報格納部２２に残して画像と対応づけておく。なお、情報格納部２２に残しておいた画像は、後述の削除処理によって削除されることがある。しかし通信番号および電話番号の対は、通信が完了するまではそのまま残される。
【００４７】
　通信エラーが発生して回線が切断され、通信が中断した後、送信側装置１は再送信を行う。この場合も、受信側装置２における着信時の処理は、通常の通信と同様にして行われる。すなわち、Ｓ８１でＤＩＳを送出した後、Ｓ８２でフラグをＯＦＦにしておき、Ｓ８３でＮＳＳ、ＴＳＩ、ＤＣＳを受信する。ＤＣＳが連続モードを示していれば、Ｓ８４からＳ８５へと進む。
【００４８】
　Ｓ８５において、電話番号と通信番号の対が記憶されているか否かを判定する。このとき、送信側装置１は再送信の際には、通信エラーとなった通信において受信側装置２に送出した通信番号をＮＳＳに含めて送出している。従って、送信側装置１からの再送信を受けた場合には、送られてきた電話番号と通信番号の対はすでに受信済みであり、記憶されている。そのためＳ８８に進んで再送を受けたときの処理を行う。Ｓ８８においてフラグがＯＮかＯＦＦかを判定する。再送信を受けた直後ではフラグはＯＦＦであるので、Ｓ８９へ進むことになる。
【００４９】
　Ｓ８９において、電話番号と通信番号の対で特定される通信に対応する受信済みの画像が情報格納部２２に残っているか否かを判定する。受信済みの画像が情報格納部２２に残っていれば、それらの画像については再送信を受ける必要はない。この場合、Ｓ９０においてＣＦＲを送信し、続きのページから画像を送信するように送信側装置１に指示する。これによって送信側装置１から続きのページの画像が送られてくるので、Ｓ９１〜Ｓ９４により画像を順次受信してゆくことになる。画像の受信およびその後の処理は上述したとおりである。
【００５０】
　Ｓ８９において、電話番号と通信番号の対で特定される通信に対応する受信済みの画像が情報格納部２２に残っていないと判定された場合には、送信済みの画像でも表裏の両面が完結していない画像については再送信してもらうように、Ｓ９８において送信側装置１に対してＦＮＶを送出し、否定応答を行う。この否定応答によって、送信側装置１は例えば上述の図３に示したように送信済みの画像も再送信するように送信開始ページを更新して再びＮＳＳ、ＴＳＩ、ＤＣＳの送信を行うので、Ｓ８３に戻ってこれらを受信する。また、ＦＮＶの送出と前後して、Ｓ９９においてフラグをＯＮにしておく。なお、Ｓ９８とＳ９９はいずれが先でもよい。
【００５１】
　送信側装置１からの再送信を受け、再びＮＳＳ、ＴＳＩ、ＤＣＳを受信した場合には、この場合も電話番号と通信番号の対は記憶されているのでＳ８８に進み、フラグがＯＮであるのでＳ９０においてＣＦＲを送信することになる。このようにして送信側装置１で送信開始ページを再設定したときには、フラグによってＦＮＶを送出せずにＣＦＲを送出する。送信側装置１では、再設定した送信開始ページの画像から順次送信してくるので、Ｓ９１〜Ｓ９４により順次受信してゆくことになる。画像の受信およびその後の処理は上述したとおりである。
【００５２】
　このようにして、通信エラーなどによって通信が中断した後、送信側装置１から再送を行う場合には、受信側装置２に表裏が完結していない受信済みの画像が残っているか否かを応答信号によって通知し、これによって送信側装置１から送信するページを決定することができるようになる。従って、受信側装置２に送信済みの画像が残されていれば、それらの画像については送信しなくてよく、通信時間の短縮および通信コストの削減を図ることができる。
【００５３】
　なお、図４に示す受信動作の一例では、再送信を受ける際に先の通信で受信した画像が残っているか否かのみを判断しているが、例えば送信側装置１から送信開始ページの情報が送られてきている場合、その送信開始ページでよいか否かも含めて判断してもよい。このとき、送信側装置１に対して受信を開始すべきページを送信するように構成してもよい。
【００５４】
　図５は、受信側装置における画像削除動作の一例を示すフローチャートである。上述のように、受信側装置２では、通信エラーが発生した場合にはそれまで受信して表裏が完結していない画像をそのまま情報格納部２２に残している。しかし、送信側装置１から再送信されない可能性もあり、そのような場合には表裏が完結していない画像が情報格納部２２にいつまでも滞留し、他の処理に支障を来す場合もある。そのため、ここでは所定時間経過したら、このような画像を削除するようにしている。
【００５５】
　すなわち、Ｓ１０１において、現在時刻から受信時刻を減算し、経過時間を取得する。受信時刻は図４のＳ９２において更新しており、最終の受信時刻からの経過時間を取得できる。この経過時間と所定の時間とを比較し、経過時間が所定時間内であれば、情報格納部１２に格納されている画像はそのまま格納しておく。また、経過時間が所定時間以上となった場合には、Ｓ１０２において、受信して情報格納部１２に格納してある画像を削除し、情報格納部１２の空き容量を増加させる。なお、画像を削除しても、電話番号と通信番号の対などの管理データはそのまま保存しておく。このように電話番号と通信番号の対を保存しておくことによって、送信側装置１から再送信を受けた場合に、画像が保存されていなくても再送信であることを認識することができるとともに、画像の保存の有無を送信側装置１に報知することができる。
【００５６】
　ここでは所定時間の経過により情報格納部１２に格納されている受信画像の削除を行う例を示したが、これに限らず、例えば情報格納部１２の空き容量が所定値以下となった場合に受信画像の削除を行うように構成してもよい。もちろん、両方の条件を用いたり、そのほかの条件を用いるなど、受信画像を削除する条件としては任意に設定可能である。
【００５７】
　図６は、本発明の通信端末装置の実施の一形態を含むシステムの一例における動作の具体例の説明図である。上述のような動作を行う送信側装置１および受信側装置２の間で、総ページ数１０ページの画像を連続モードで両面送信する場合について、具体例として説明する。１０ページの画像を連続モードで両面送信する場合の送信順序は、図６（Ａ）に示すように１，３，５，７，９，２，４，６，８，１０ページの順である。
【００５８】
　図６（Ｂ）では、１，３，５ページまで送受信が完了し、７ページの画像を送信しているときにエラーが発生した例を示している。この場合、受信側装置２には１，３，５ページの画像が正常に受信されており、これらのページの画像が情報格納部２２に格納されて保持される。また、このときの送信側装置１の電話番号と通信番号も記憶されている。これらのページの画像が情報格納部２２に残っている状態で送信側装置１から再送信を行う場合には、受信側装置２の処理は図４においてＳ８９からＳ９０へ進み、受信側装置２から肯定応答（ＣＦＲ）が送信側装置１に送信される。従って、送信側装置１では続きの７ページの画像から送信を再開することになる。これによって１，３，５ページの画像は再送されないため、通信時間を短縮して通信コストを削減することができる。
【００５９】
　一方、送信側装置１からの再送信が遅れ、あるいは受信側装置２の情報格納部２２に空き容量がなくなり、受信済みの画像が削除されている場合には、受信側装置２は図４のＳ９８で否定応答（ＦＮＶ）を送出する。送信側装置１では、図３のＳ６８からＳ７１に進み、送信ページが７ページであることからＳ７２において送信開始ページが１に設定される。従って、１ページ目の画像から再送信されることになる。
【００６０】
　図６（Ｃ）では、表面の画像の送受信が終了し、裏面についても２，４，６ページまで送受信が完了し、８ページの画像を送信しているときにエラーが発生した例を示している。この場合、受信側装置２では、１ページ目と２ページ目、３ページ目と４ページ目、５ページ目と６ページ目の画像は、表裏が完結しているので記録部２４により両面記録され、情報格納部２２からも削除される。そして、表裏が完結していない７，９ページの画像が情報格納部２２に残される。また、このときの送信側装置１の電話番号と通信番号も記憶されている。これらのページの画像が情報格納部２２に残っている状態で送信側装置１から再送信を行う場合には、受信側装置２の処理は図４においてＳ８９からＳ９０へ進み、受信側装置２から肯定応答（ＣＦＲ）が送信側装置１に送信される。従って、送信側装置１では続きの８ページの画像から送信を再開することになる。これによって再送時には８，１０ページの画像のみを送受信すればよく、通信時間は大幅に短縮され、通信コストも大幅に低減される。
【００６１】
　一方、送信側装置１からの再送信が遅れ、あるいは受信側装置２の情報格納部２２に空き容量がなくなり、受信済みの画像が削除されている場合には、受信側装置２は図４のＳ９８で否定応答（ＦＮＶ）を送出する。送信側装置１では、図３のＳ６８からＳ７１に進み、送信ページが８ページであることからＳ７３において送信開始ページが８−１＝７ページに設定される。従って、表面の７ページ目の画像から再送信されることになる。この場合、表面の７，９ページの画像が送信される。その後、裏面の画像は２，４，６ページについては両面が完結して削除されているため、両面が完結していない８，１０ページの画像が送信される。従ってこの場合にも、再送時の通信時間を短縮でき、通信コストを削減することができる。
【００６２】
　上述の動作の説明では、受信側装置２は受信済の画像が削除されていなければＣＦＲ、受信済の画像が削除されていればＦＮＶを返すものとして説明した。しかしこれに限らず、送信側装置１において全ページを送信することを前提として送信開始ページを設定している場合には、それに応じて受信側装置２においても逆の応答を行うように構成することもできる。
【図面の簡単な説明】
【００６３】
【図１】本発明の通信端末装置の実施の一形態を含むシステムの一例を示す構成図である。
【図２】送信側装置における送信動作の一例を示すフローチャートである。
【図３】送信側装置における再送動作の一例を示すフローチャートである。
【図４】受信側装置における受信動作の一例を示すフローチャートである。
【図５】受信側装置における画像削除動作の一例を示すフローチャートである。
【図６】本発明の通信端末装置の実施の一形態を含むシステムの一例における動作の具体例の説明図である。
【符号の説明】
【００６４】
　１…送信側装置、２…受信側装置、３…回線、１１，２１…主制御部、１２，２２…情報格納部、１３，２３…通信部、１４…読取部、２４…記録部。
【図１】
2004096798.tif 000003
【図２】
2004096798.tif 000004
【図３】
2004096798.tif 000005
【図４】
2004096798.tif 000006
【図５】
2004096798.tif 000007
【図６】
2004096798.tif 000008